(57)【特許請求の範囲】
【請求項１】
内部の電気部品がカメラ本体部の回路基板に電気的に接続されるレンズ鏡筒であって、
固定筒と、
前記固定筒に保持され、レンズ群を光軸方向に移動させる円筒状の可動部材と、
上流端が前記レンズ鏡筒の光軸方向の物体側に設けられた前記電気部品に接続され、下流端が前記物体側とは反対の光軸方向側に設けられたカメラ本体に接続されるＦＰＣと、
前記可動部材に対して径方向に離間して配置され、前記ＦＰＣを固定するＦＰＣ固定部材とを備え、
前記固定筒は、前記可動部材よりも前記カメラ本体側において、前記ＦＰＣを通し、かつ、位置決めする位置決め部を備え、
前記ＦＰＣは、
前記上流端よりも前記下流端側の所定の位置において前記ＦＰＣ固定部材の側壁に貼付けられる貼付部と、
前記貼付部において前記下流端側が前記カメラ本体側に向けられた前記ＦＰＣを、外周部分が前記物体側に向くように折り返し、折り返した前記下流端側の部分を前記貼付部に対向させる第１湾曲部と、
前記第１湾曲部よりも前記下流端側の所定の位置において、前記貼付部と交差する方向に前記ＦＰＣを曲げ、前記位置決め部へと導く第２湾曲部とを備え、
前記ＦＰＣは、前記位置決め部において、前記物体側に押圧されているレンズ鏡筒。
【請求項２】
前記ＦＰＣは、前記第２湾曲部において前記位置決め部の前記物体側の底面に向けて曲げられ、前記底面において前記物体側に押圧されている請求項１記載のレンズ鏡筒。
【請求項３】
前記ＦＰＣは、前記位置決め部よりも前記下流端側の所定の位置において、前記カメラ本体側に曲げられる第３湾曲部を備える請求項１又は２記載のレンズ鏡筒。
【請求項４】
前記ＦＰＣは、幅方向に突出した一対の凸部を備え、
前記位置決め部は、前記凸部が嵌め込まれる一対の凹部を備える請求項１〜３のいずれかに記載のレンズ鏡筒。
【請求項５】
前記ＦＰＣは、前記凸部が形成された部位に、補強部材が貼り付けられている請求項１〜４のいずれかに記載のレンズ鏡筒。
【請求項６】
前記ＦＰＣは、前記補強部材が貼り付けられた補強領域より上流端側の上流側ＦＰＣと、前記補強領域の下流端側の下流側ＦＰＣとに分けられ、
前記上流側ＦＰＣは、前記補強領域に前記下流側ＦＰＣと電気的に接続される第１のコネクタを備える請求項５記載のレンズ鏡筒。
【請求項７】
前記ＦＰＣ固定部材は、前記可動部材よりも外径側に配置され、前記固定筒に結合された外装部材である請求項１〜６のいずれかに記載のレンズ鏡筒。
【請求項８】
前記ＦＰＣは、前記貼付部よりも前記上流端側、かつ、前記電気部品の近傍において、曲げられた第４湾曲部を備える請求項１〜７のいずれかに記載のレンズ鏡筒。
【請求項９】
前記ＦＰＣは、展開形状が、底部と、前記底部の一端から延び、かつ、長手方向が前記底部の長手方向に直交する第１分岐部と、前記底部の他端から延び、かつ、長手方向が前記底部の長手方向と直交する第２分岐部とを備える形状を有し、前記底部の外周が、前記ＦＰＣ固定部材の前記カメラ本体側の端部に位置決めされる請求項１〜８のいずれかに記載のレンズ鏡筒。
【請求項１０】
前記レンズ鏡筒は、交換レンズ用のレンズ鏡筒であって、
前記カメラ本体部に取り付けるためのマウントと、
前記マウントに固定され、前記カメラ本体部と電気的な接続を行うための第２のコネクタとを備え、
前記ＦＰＣは前記第２のコネクタに接続されている請求項１〜９のいずれかに記載のレンズ鏡筒。
【発明の詳細な説明】
【技術分野】
【０００１】
本発明は、内部の電気部品がカメラ本体部とフレキシブルプリント基板を介して電気的に接続されるレンズ鏡筒に関するものである。
【背景技術】
【０００２】
近年、レンズ鏡筒は、高性能化及び高機能化に加えて小型化が求められている。高性能化を図ると、レンズやそれらを駆動させる駆動部の大型化が避けられず、レンズ鏡筒は大型化し、小型化の要望に相反する。また、レンズ鏡筒の小型化を図ると、部品間のクリアランスが減るため、レンズ鏡筒の組立難度が高くなってしまう。【０００３】
レンズ鏡筒は、電気部品が内蔵され、電気部品とカメラ本体側の回路基板とがフレキシブルプリント基板（以下、「ＦＰＣ」と記述する。）を介して電気的に接続されることが一般的である。ここで、レンズ鏡筒の小型化を図るとＦＰＣの配置スペースが限られるため、ＦＰＣの配置が不適当であれば、カメラの使用時にＦＰＣを駆動部材と干渉させてしまい、ＦＰＣを破損させるおそれがある。また、ＦＰＣの配置が不適当であれば、レンズ鏡胴の組立時にＦＰＣを切断させる等、ＦＰＣを破損させる虞があり、レンズ鏡胴に動作不良が生じてしまう。【０００４】
特に、一眼レフ用交換レンズに適用されるレンズ鏡筒においては、インナーフォーカス構成、レンズ内にモータを設ける構成、及び手振れ補正機構が搭載されるケースが多い。特に、大口径レンズでインナーフォーカス構成が採用されると可動部材が像面側に配置されるため、それに伴って電気部品が物体側に配置され、カメラ本体側と電気接続するためのＦＰＣの距離が長くなる。また、カメラ側との電気接点が組み込まれているレンズマウントとＦＰＣとの接続の作業性を考慮すると、レンズ鏡胴外部にＦＰＣを引き出す必要から、ＦＰＣには十分な長さが必要になる。このように長いＦＰＣをレンズ鏡筒内に収納し、可動部材との干渉を回避するためには、ＦＰＣの配置が重要になる。つまり、省スペースで組立が容易なＦＰＣの配置が求められている。【０００５】
特許文献１には、図６に示されるように、固定筒２０００の側壁に対向して設けられ、固定筒２０００側に電子部品群１０００が取り付けられた取付地板３０００と、固定筒２０００の側壁との間の空間において、ＦＰＣが２回折り返して収納されたレンズ鏡筒が開示されている。【０００６】
特許文献２には、図７に示されるように、光軸方向に相対的にスライド可能な支持板５４００と、支持板５４００の下側に設けられた電気部材４２００ａとがＦＰＣ６５００で接続されたレンズ鏡筒が開示されている。そして、特許文献２では、ＦＰＣ６５００は、一端が支持板５４００の上面に取り付けられ、下側に向けて１回折り返されて支持板５４００の下面に対向された後、支持板５４００と直交する方向に曲げられて、他端が電気部材４２００ａに接続されている。【０００７】
しかしながら、特許文献１記載の技術は、ＦＰＣが２回折り返されて収納されているにすぎず、ＦＰＣと電子部品群１０００との接触を阻止する措置は何ら講じられていない。そのため、電子部品または電子部品を接続するための半田によってＦＰＣの破損をまねく恐れがあり、また電気信号にノイズがのることで誤動作が生じる場合もある。また、特許文献２の技術では、ＦＰＣ６５００は、支持板５４００の上面に貼り付けられ、かつ、下側に向けて１回折り返されている。そのため、ＦＰＣ６５００には、支持板５４００から剥離する方向の力が加わり、長期間使用すると貼付部が剥がれ、作動時に隣接する部材と干渉し、異音の発生や導通不良の原因となる。
【先行技術文献】
【特許文献】
【０００８】
【特許文献１】特開平５−１４５２２８号公報
【特許文献２】特開平７−２１８８０４号公報
【発明の概要】
【０００９】
本発明の目的は、組み立ての容易化を図るためにＦＰＣの長さを確保したとしても、ＦＰＣとＦＰＣの周辺の部材との接触を回避させ、かつ、貼付部におけるＦＰＣの剥離を防止し、ＦＰＣを安定して取り付けることができるレンズ鏡筒を提供することである。
【００１０】
本発明の一局面によるレンズ鏡筒は、内部の電気部品がカメラ本体部の回路基板に電気的に接続されるレンズ鏡筒であって、固定筒と、前記固定筒に保持され、レンズ群を光軸方向に移動させる円筒状の可動部材と、上流端が前記電気部品に接続され、下流端がカメラ本体に接続されるＦＰＣと、前記可動部材に対して径方向に離間して配置され、前記ＦＰＣを固定するＦＰＣ固定部材とを備え、前記固定筒は、前記ＦＰＣを通し、かつ、位置決めする位置決め部を備え、前記ＦＰＣは、前記上流端よりも前記下流端側の所定の位置において前記ＦＰＣ固定部材の側壁に貼付けられる貼付部と、前記貼付部から、外周が前記上流端側に向かい、かつ、前記貼付部に対向するように曲げられる第１湾曲部と、前記第１湾曲部よりも前記下流端側の所定の位置において、前記貼付部と交差する方向に曲げられ、前記位置決め部へと導かれる第２湾曲部とを備え、前記ＦＰＣは、前記位置決め部において前記物体側に押圧されている。
【図面の簡単な説明】
【００１１】
【図１】本発明の実施の形態１によるレンズ鏡筒の光軸方向の一部断面図を示している。
【図２】位置決め部とＦＰＣとの関係を説明する図である。
【図３】ＦＰＣの展開図である。
【図４】本発明の実施の形態２におけるレンズ鏡筒の光軸方向の断面の一部を示した断面図である。
【図５】図２の変形例を示した図である。
【図６】従来技術のレンズ鏡筒の光軸方向の一部断面図である。
【図７】従来技術のレンズ鏡筒の光軸方向の一部断面図である。
【発明を実施するための形態】
【００１２】
（実施の形態１）
図１は、本発明の実施の形態１によるレンズ鏡筒の光軸方向の一部断面図を示している。なお、図１において、ｚ方向は光軸方向を示し、ｙ方向は径方向を示し、ｘ方向は幅方向を示している。また、＋ｚ方向側を物体側、−ｚ方向側をカメラ本体側、＋ｙ方向側を外径側、及び−ｙ方向を内径側と記述する。
【００１３】
図１に示すようにレンズ鏡筒は、長手方向が光軸方向を向く円筒状の固定筒１と、固定筒１と同軸上に設けられ、固定筒１の側壁１ａに当接する円筒状の可動部材２と、固定筒１において＋ｚ方向側に設けられた電気部品５と、固定筒１と同軸上に設けられ、可動部材２の外周を覆う円筒状のＦＰＣ固定部材４とを備えている。
【００１４】
固定筒１の側壁１ａには、＋ｙ方向に突出した案内ピン１２が設けられている。案内ピン１２は、ｚ方向視において固定筒１の側壁１ａの外周を複数等分（以下、３等分とする。）する箇所に複数個（以下、３個とする。）設けられている。案内ピン１２は、固定筒１にネジ結合されている。
【００１５】
可動部材２は、中心軸Ｚ１を中心として固定筒１に対して回転可能に取り付けられている。可動部材２の側壁２ａの−ｙ方向側の面は、固定筒１の側壁１ａの＋ｙ方向側の面に当接している。可動部材２の側壁２ａには、３個の案内ピン１２をそれぞれ案内する３個の長孔２１が設けられている。長孔２１は、長手方向がｘ−ｙ平面と平行な方向を向いている。これにより、可動部材２のｚ方向への移動が規制される。なお、長孔２１の長手方向はｘ−ｙ平面に対して多少傾斜させてもよい。また、可動部材２の側壁２ａには案内ピン１３をｚ方向に移動させるための長孔２２が形成されている。この長孔２２は、カム溝であり、回転方向（ｘ方向）に延び、ｚ方向に位置が変化する斜め方向の長孔である。また、長孔２２は、ｚ方向視において、可動部材２の側壁２ａを複数等分（以下、３等分とする。）する箇所に複数個（以下３個とする。）設けられている。
【００１６】
固定筒１の後端には案内ピン１３の周方向への移動を規制するｚ方向を長手方向とし、長孔２２と貫通する長孔１５が設けられている。案内ピン１３は、長孔２２及び長孔１５と嵌合しており、−ｙ方向の先端部１５ａが保持枠１４と係合している。なお、案内ピン１３は、長孔１５、２２に対応して３個設けられている。案内ピン１２，１３、及び長孔１５，２２は複数セットあってもよい。
【００１７】
保持枠１４は、可動レンズ群Ｌ３を保持している。よって、可動部材２を中心軸Ｚ１を中心として固定筒１に対して回転させると、長孔２２によって案内ピン１３がｚ方向に移動し、その移動に伴って保持枠１４がｚ方向に移動し、その移動に伴って可動レンズ群Ｌ３がｚ方向に移動する。つまり、本実施の形態では、可動部材２は回転することで可動レンズ群Ｌ３をｚ方向に移動させる。レンズ群Ｌ１，Ｌ２は移動しない固定レンズ群である。
【００１８】
ＦＰＣ固定部材４は、側壁４ａが固定筒１の側壁１ａに対して＋ｙ方向に離間して、固定筒１に取り付けられている。よって、可動部材２の側壁２ａとＦＰＣ固定部材４の側壁４ａとの間には、ＦＰＣ空間８が形成される。本実施の形態では、ＦＰＣ固定部材４は、固定筒１とネジ等の係合部材（図略）を用いて取り付けられており、レンズ鏡筒の外装部材である。具体的には係合部材は、図１とは異なる方向でレンズ鏡筒をスライスしたときのｘ−ｙ断面において、固定筒１の後端部１６でＦＰＣ固定部材４を固定筒１に取り付ける。なお、係合部材は、ｚ方向視において固定筒１の外周を例えば複数等分した箇所に複数個（例えば３個）設けられている。
【００１９】
固定筒１の側壁１ａにおいて、可動部材２の＋ｚ方向側には電気部品５が取り付けられている。電気部品５は、固定筒１の側壁１ａの＋ｙ方向側に取り付けられた平板状の基板５１を含んでいる。基板５１にはＦＰＣ３の上流端３Ｆに取り付けられたコネクタＣ１が接続される。これにより、ＦＰＣ３と電気部品５とが電気的に接続される。電気部品５は、例えば、オートフォーカス制御を行うための機能等を備えている。
【００２０】
ＦＰＣ３は、上流端３ＦにコネクタＣ１が接続され、下流端３ＢにコネクタＣ２が接続されている。コネクタＣ２はカメラ本体側との電気接点である。なお、本明細書では、コネクタＣ１が接続された側をＦＰＣ３の上流端側、コネクタＣ２が接続された側をＦＰＣ３の下流端側と記述する。
【００２１】
固定筒１は、後端部１６にＦＰＣ３を通し、かつ、ＦＰＣ３を位置決めする位置決め部１１を備えている。位置決め部１１は、ｙ方向視において、固定筒１の後端部１６を＋ｚ方向側に凹状に切り欠くことで形成された溝により構成されている。固定筒１の後端部１６には、カメラ本体に取り付けるためのリング状のマウント９が取り付けられている。マウント９には、コネクタＣ２が固定されている。マウント９は、固定筒１と同軸上であり、固定筒１にネジ固定されている。また、ＦＰＣ固定部材４は固定筒１にネジ固定されている。
【００２２】
ＦＰＣ３は、コネクタＣ１よりも下流端３Ｂ側において、ＦＰＣ固定部材４に貼り付けられる貼付部３６を備えている。貼付部３６は、後端３６１が、ＦＰＣ固定部材４の側壁４ａと底壁４ｂとの境界に位置決めされ、＋ｙ方向側の面がＦＰＣ固定部材４の側壁４ａの−ｙ方向側の面（内壁面）に貼り付けられている。
【００２３】
ＦＰＣ３は、貼付部３６から、外周が＋ｚ方向側に向かい、かつ、貼付部３６に対向するように曲げられる第１湾曲部３１を備えている。第１湾曲部３１のｙ方向の長さ３１ｙはＦＰＣ空間８のｙ方向の長さ８ｙよりも短く、ＦＰＣ３が可動部材２に当接しない長さに設定されている。
【００２４】
ＦＰＣ３は、第１湾曲部３１よりも−ｚ方向側（下流端３Ｂ側）の所定位置において、貼付部３６に対してレンズ鏡筒の内側（中心軸Ｚ１）方向（例えば直交する方向：−ｙ方向）に曲げられ、位置決め部１１へと導かれる第２湾曲部３２を備えている。
【００２５】
つまり、ＦＰＣ３は、第１湾曲部３１において貼付部３６から貼付部３６と対向するように折り返された後、第２湾曲部３２において貼付部３６から中心軸Ｚ１側の方向に曲げられて、固定筒１の側壁１ａの位置決め部１１に挿入されている。その結果、第２湾曲部３２より上流側のＦＰＣには常に外径方向（＋ｙ側）の力が働いている。そのため、可動部材２が固定筒１の後端まで延びる場合であっても、第１湾曲部３１が垂れ下がることが防止され、ＦＰＣ３が可動部材２に当接することが防止される。その結果、ＦＰＣ３の破損及び可動部材２の動作不良を防止することができる。また、ＦＰＣ３は、常に外径方向（＋ｙ側）の力が働いているため、貼付部３６から剥離する方向への力が加わらない。
【００２６】
また、ＦＰＣ３は、位置決め部１１よりも下流端３Ｂ側の所定の位置において、−ｚ方向側に曲げられる第３湾曲部３３を備えている。
【００２７】
図２は、位置決め部１１とＦＰＣ３との関係を説明する図であり、（Ａ）はレンズ鏡筒の後端側から見た（＋ｚ方向視の）ＦＰＣ３を示し、（Ｂ）は＋ｘ方向視のＦＰＣ３を示している。図２（Ａ）に示すように、ＦＰＣ３は、ｘ方向に突出した左右一対の凸部３ｘ，３ｘを備えている。
【００２８】
ＦＰＣ３は、位置決め部１１内の領域に補強部材３０が貼り付けられ、ＦＰＣ３を補強する補強領域とされている。ここで、補強部材３０の形状は、位置決め部１１内のＦＰＣ３の形状とほぼ同一形状である。補強部材３０としては、例えばＦＰＣ３と同一材料であるポリイミドのシートを採用すればよいが、これに限定されず、プラスチック状のシートを採用してもよい。
【００２９】
位置決め部１１は、凸部３ｘ，３ｘが嵌め込まれるｘ方向に左右一対設けられた凹部１１２，１１２を備えている。
【００３０】
凹部１１２は、ｘ方向と平行な一対の辺が第１規制部１１３，１１３となっている。また、凹部１１２は、ｙ方向と平行な辺が第２規制部１１４となっている。ＦＰＣ３は、第１規制部１１３，１１３によりｙ方向の移動が規制され、第２規制部１１４によりｘ方向の移動が規制される。
【００３１】
この場合、凹部１１２，１１２に対して＋ｙ方向側及び−ｙ方向側の位置決め部１１の幅寸法は、ＦＰＣ３の幅寸法より長くされている。
【００３２】
補強部材３０が貼り付けられた補強領域の中央部にはコネクタ７が設けられている。本実施の形態では、ＦＰＣ３は、補強領域より上流端３Ｆ側の上流側ＦＰＣ３０１と、補強領域より下流端３Ｂ側の下流側ＦＰＣ３０２とに分けられている。
【００３３】
コネクタ７の雌部は上流側ＦＰＣ３０１の下流端３０１Ｅより少し上流端３Ｆ側の位置において、−ｚ方向に突出して設けられている。コネクタ７の雄部は下流側ＦＰＣ３０２の上流端３０２Ｆに設けられている。そして、コネクタ７の雄部と雌部とが嵌合することで上流側ＦＰＣ３０１と下流側ＦＰＣ３０２とが電気的に接続される。
【００３４】
図２（Ｂ）に示すように、ＦＰＣ３は、第３湾曲部３３を備える。そのため、ＦＰＣ３は位置決め部１１において、物体側へと向かう弾性力Ｆが発生する。この弾性力Ｆにより、ＦＰＣ３は、＋ｚ方向側の位置決め部１１の底面１１１に押圧され、安定して固定筒１に取り付けられる。また、ＦＰＣ３に凸部３ｘ，３ｘを設けなかったとしても、弾性力Ｆにより、ＦＰＣ３は、位置決め部１１の物体側の底面１１１に押圧される。そのため、ＦＰＣ３を固定筒１に安定して取り付けることができる。
【００３５】
具体的には、ＦＰＣ３に第３湾曲部３３を設けなかった場合、ＦＰＣ３は、第２湾曲部３２の存在等によって位置決め部１１において−ｚ方向側の力が作用し、位置決め部１１の底面１１１から浮いてしまう。そうすると、ＦＰＣ３を固定筒１に安定して取り付けることができなくなる。そこで、第３湾曲部３３を設けることで、ＦＰＣ３に弾性力Ｆを作用させて、ＦＰＣ３を安定して固定筒１に取り付けることが可能となる。
【００３６】
本実施の形態では、第３湾曲部３３を、ＦＰＣ３を１回曲げたことで構成したが、これに限定されず、ＦＰＣ３を１回曲げた後、１又は複数回折り返して構成してもよい。第３湾曲部３３において、ＦＰＣ３を曲げる（折り返す）回数は、位置決め部１１からコネクタＣ２までのＦＰＣ３の距離に応じて設定すればよい。
【００３７】
なお、図２（Ａ）に代えて図５に示す構成を採用してもよい。図５は、位置決め部１１とＦＰＣ３との関係を説明する図であり、＋ｚ方向視から位置決め部１１を見た図である。図２（Ａ）では、凸部３ｘのｙ方向と平行な２辺が第２規制部１１４，１１４とされていたが、図５では、凸部３ｘ，３ｘの＋ｙ方向側及び−ｙ方向側に形成されたｙ方向と平行な２辺が第２規制部１１４´，１１４´とされている。この場合、第２規制部１１４´，１１４´間の幅寸法は、ＦＰＣ３の幅寸法と同じにされている。これにより、ＦＰＣ３のｘ方向の移動が規制される。なお、凸部３ｘ，３ｘ間の幅寸法は、第２規制部１１４，１１４間の幅寸法より短くされている。
【００３８】
図３は、ＦＰＣ３の展開図である。ＦＰＣ３は、展開形状が底部３１１、第１分岐部３１２、及び第２分岐部３１３を有する略Ｕ字形状を有している。第１分岐部３１２は、底部３１１の一端から延び、かつ、長手方向が底部３１１の長手方向に直交している。第２分岐部３１３は、底部３１１の他端から延び、かつ、長手方向が底部３１１の長手方向と直交している。底部３１１の外周３１１ａは底部３１１の長手方向と平行な直線状である。なお、外周３１１ａは、貼付部３６の後端３６１に位置決めされる。
【００３９】
そして、ＦＰＣ３は、底部３１１の外周３１１ａが、ＦＰＣ固定部材４の−ｚ方向側の端部、すなわち、ＦＰＣ固定部材４の側壁４ａと底壁４ｂ（後端部３６１）との境界に位置決めされて、ＦＰＣ固定部材４に貼り付けられる。したがって、貼付部３６のｚ方向の長さ３６ｚを一定の長さにすると、第１湾曲部３１の開始位置をＦＰＣ空間８内のｚ方向の所望の位置に設定することができ、ＦＰＣ３を精度良く固定筒１に取り付けることができる。また、貼付部３６のｚ方向の長さ３６ｚを正確に定めれば、第２分岐部３１３を位置決め部１１に侵入させて、凸部３ｘを凹部１１２に嵌め込めば、自ずと、ＦＰＣ空間８内の所望の位置に第１湾曲部３１及び第２湾曲部３２が形成されるため、固定筒１へのＦＰＣ３の取り付け作業の容易化を図ることができる。
【００４０】
なお、長さ３６ｚのサイズとしては、例えば、底部３１１のｚ方向の幅程度の長さを採用することができる。なお、図３において底部３１１の全領域が図１に示す貼付部３６となる。但し、これは、一例であり、図３に示すように、外周３１１ａから長さ３１２ｚの第１分岐部３１２の領域を貼付部３６に含めても良い。
【００４１】
ＦＰＣ３は、第１分岐部３１２の貼付領域の上流端側であって、電気部品５の近傍の所定の位置において、曲げられた（折り返された）第４湾曲部３４を備えている。図１の例では、第４湾曲部３４の折り返し回数を２回としているが、これに限定されず、第１分岐部３１２の貼付領域よりも上流端側のＦＰＣ３の長さに応じて、１回、３回、４回、又は５回以上の回数に適宜設定すればよい。
【００４２】
次に、本レンズ鏡筒の組み立てについて図１を用いて説明する。組み立て開始前は、図１において、固定筒１、可動部材２、基板５１、及びレンズ群Ｌ等を含む内部ユニットに対して、ＦＰＣ固定部材４及びマウント９が取り外された状態となっている。この状態において、上流側ＦＰＣ３０１と下流側ＦＰＣ３０２とは接続されていない。
【００４３】
次に、ＦＰＣ固定部材４の貼付部３６に上流側ＦＰＣ３０１（ＦＰＣ３０１の底部３１１）が貼り付けられる。次に、ＦＰＣ３のコネクタＣ１が基板５１に接続される。次に、第４湾曲部３４を形成しつつ、内部ユニットがＦＰＣ固定部材４の内部に挿入され、ＦＰＣ固定部材４が固定筒１の後端部１６に取り付けられる。この状態において、上流側ＦＰＣ３０１の下流端３０１Ｅは位置決め部１１から浮いた状態になっている。次に、ＦＰＣ３の下流端３０１Ｅを後方に引き出し、マウント９に組み込まれたコネクタＣ２に接続されている下流側ＦＰＣ３０２をコネクタ７に接続する。なお、図１では、ＦＰＣ３の組込途中の状態が２点鎖線で示されており、ＦＰＣ３が引き出された状態が３’で示されている。また、ＦＰＣ３が引き出された状態では、マウント９は図示が省略されている。次に、第１分岐部３１２をＦＰＣ固定部材４と内部ユニットとで形成される空間に挿し込み、第１、第２の湾曲部３１、３２を形成しながら、ＦＰＣ３の凸部３ｘ，３ｘを位置決め部１１の凹部１１２，１１２にはめ込む（第３の湾曲部３３が形成される）。最後に、マウント９が固定筒１にネジ固定される。そして、図１に示すレンズ鏡筒が完成する。
【００４４】
（実施の形態２）
図４は、本発明の実施の形態２におけるレンズ鏡筒の光軸方向の断面の一部を示した断面図である。本レンズ鏡筒は、可動部材２の側壁２ａの＋ｙ方向側の面に、固定筒１の側壁１ａの−ｙ方向側の面を当接させている。また、本実施の形態では、可動部材２は、−ｙ方向側に設けられた例えば図略のレンズホルダを介して可動レンズ群Ｌ３（図略）を保持し、ｚ方向に移動することで、可動レンズ群Ｌ３をｚ方向に移動させる。また、本実施の形態では、ＦＰＣ固定部材４は、可動部材２よりも−ｙ方向側に所定距離離間して設けられている。
【００４５】
なお、可動部材２を実施の形態１と同様にして固定筒１に対して回転させることで、可動レンズ群Ｌ３をｚ方向に移動させてもよい。また、電気部品５及びＦＰＣ固定部材４は、可動部材２の移動に伴って、ｚ方向に移動させてもよい。
【００４６】
固定筒１の＋ｙ方向側には、図略の外装部材が設けられている。電気部品５は、可動部材２の−ｙ方向側であって、ＦＰＣ固定部材４よりも＋ｚ方向側に設けられている。ＦＰＣ固定部材４は、固定筒１の後端側であって、可動部材２の内径側に設けられた円筒状の部材である。
【００４７】
ＦＰＣ固定部材４の外周には、ＦＰＣ３が貼り付けられている。これにより、ＦＰＣ３は貼付部３６が形成される。ここで、ＦＰＣ３としては、図３に示す展開形状を有するＦＰＣ３が採用されている。そして、底部３１１の外周３１１ａは、ＦＰＣ固定部材４の後端に位置決めされている。可動部材２の−ｚ方向側の端部は、固定筒１の−ｚ方向側の端部よりも少し手前に位置しており、固定筒１の位置決め部１１が存在する領域を露出させている。位置決め部１１は、実施の形態１と同様、固定筒１の後端部１６を切り欠くことで形成された溝である。
【００４８】
ＦＰＣ３は、貼付部３６から第１湾曲部３１により折り返され、貼付部３６と直交するように曲げられて固定筒１の側壁１ａに設けられた位置決め部１１を貫通している点は実施の形態１のレンズ鏡筒と同じである。また、ＦＰＣ３は、位置決め部１１よりも下流端３Ｂ側の所定の位置において、−ｚ方向側に曲げられて折り返され、コネクタＣ２がカメラ本体の回路基板に接続されている。本実施の形態においても、位置決め部１１において、実施の形態１と同様、凹部１１２，１１２を形成し、ＦＰＣ３に凸部３ｘ，３ｘを設け、ＦＰＣ３と凸部３ｘ，３ｘとを嵌合させてもよい。
【００４９】
また、本実施の形態においても、第１湾曲部３１、第２湾曲部３２、及び第３湾曲部３３を備えているため、実施の形態１と同じ効果を得ることができる。
【００５０】
上記レンズ鏡筒の技術的特徴は以下のようにまとめることができる。
【００５１】
（１）上記レンズ鏡筒は、内部の電気部品がカメラ本体部の回路基板に電気的に接続されるレンズ鏡筒であって、固定筒と、前記固定筒に保持され、レンズ群を光軸方向に移動させる円筒状の可動部材と、上流端が前記レンズ鏡筒の光軸方向の物体側に設けられた前記電気部品に接続され、下流端が前記物体側とは反対の光軸方向側に設けられたカメラ本体に接続されるＦＰＣと、前記可動部材に対して径方向に離間して配置され、前記ＦＰＣを固定するＦＰＣ固定部材とを備え、前記固定筒は、前記可動部材よりも前記カメラ本体側において、前記ＦＰＣを通し、かつ、位置決めする位置決め部を備え、前記ＦＰＣは、前記上流端よりも前記下流端側の所定の位置において前記ＦＰＣ固定部材の側壁に貼付けられる貼付部と、前記貼付部において前記下流端側が前記カメラ本体側に向けられた前記ＦＰＣを、外周部分が前記物体側に向くように折り返し、折り返した前記下流端側の部分を前記貼付部に対向させる第１湾曲部と、前記第１湾曲部よりも前記下流端側の所定の位置において、前記貼付部と交差する方向に前記ＦＰＣを曲げ、前記位置決め部へと導く第２湾曲部とを備え、前記ＦＰＣは、前記位置決め部において、前記物体側に押圧されている。
【００５２】
この構成によれば、ＦＰＣは位置決め部において物体側に押圧されているため、安定して固定筒に取り付けられる。更に、位置決め部において物体側にＦＰＣを押圧させる力が第１及び第２湾曲部に作用し、ＦＰＣを可動部材からより離間させることができる。
【００５３】
また、ＦＰＣは、第１湾曲部において貼付部から貼付部と対向するように曲げられた後、第２湾曲部において貼付部に交差する方向に曲げられて、固定筒の側壁の位置決め部に挿入されている。そのため、可動部材が固定筒の後端まで延びる場合であっても、第１湾曲部が可動部材側に拡がることが防止され、ＦＰＣが可動部材に当接することが防止され、ＦＰＣの破損を防止することができる。また、ＦＰＣは第１湾曲部において、貼付部から外周が物体側に向かうように折り返されているため、ＦＰＣには貼付部から剥離する方向には力が加わらず、ＦＰＣの剥離の防止を図ることができる。
【００５４】
また、貼付部からＦＰＣを位置決め部に通す作業を行うと、第１湾曲部及び第２湾曲部が形成されるため、曲げ作業が不要となり、作業時間の短縮及び作業の容易化を図り、ＦＰＣの曲げ作業のバラツキを抑制することができる。
【００５５】
したがって、本レンズ鏡筒によれば、組み立ての容易化を図るためにＦＰＣの長さを確保したとしても、ＦＰＣとＦＰＣの周辺の部材との接触を回避させ、かつ、貼付部からのＦＰＣの剥離を防止し、ＦＰＣを安定して取り付けることができる。
【００５６】
（２）前記ＦＰＣは、前記第２湾曲部において前記位置決め部の前記物体側の底面に向けて曲げられ、前記底面において前記物体側に押圧されていることが好ましい。
（３）前記ＦＰＣは、前記位置決め部よりも前記下流端側の所定の位置において、前記カメラ本体側に曲げられる第３湾曲部を備えることが好ましい。
【００５７】
この構成によれば、ＦＰＣは第３湾曲部においてカメラ本体側に曲げられている。そのため、位置決め部において、物体側に押圧する力がＦＰＣに働くことになる。
【００５８】
（４）前記ＦＰＣは、幅方向に突出した一対の凸部を備え、前記位置決め部は、前記凸部が嵌め込まれる一対の凹部を備えることが好ましい。
【００５９】
この構成によれば、ＦＰＣは一対の凸部を備えている。また、固定筒の位置決め部は一対の凸部が嵌め込まれる一対の凹部を備えている。そして、ＦＰＣは、一対の凸部が一対の凹部に嵌り込んで、固定筒に取り付けられる。よって、ＦＰＣの幅方向のがたつきを規制すると同時に、ＦＰＣの長手方向のがたつきを規制することができる。したがって、ＦＰＣに孔を設け、位置決め部からボスを突出させ、この孔にボスを挿入してＦＰＣを固定する従来の手法を採用した場合に発生するＦＰＣの回転を防止することができる。また、ＦＰＣに孔を設けると、ＦＰＣ内の配線パターンを、孔を迂回するパターンに設計する必要があるが、凸部を設けた場合、この孔が不要となり、ＦＰＣ内の配線パターンを、孔を迂回するパターンに設計する必要がなくなる。
【００６０】
（５）前記ＦＰＣは、前記凸部が形成された部位に、補強部材が貼り付けられていることが好ましい。
【００６１】
この構成によれば、ＦＰＣは、位置決め部に嵌め込まれる部位が補強部材によって補強されるため、ＦＰＣの破損を防止することができる。
【００６２】
（６）前記ＦＰＣは、前記補強部材が貼り付けられた補強領域より上流端側の上流側ＦＰＣと、前記補強領域の下流端側の下流側ＦＰＣとに分けられ、前記上流側ＦＰＣは、前記補強領域に前記下流側ＦＰＣと電気的に接続されるコネクタを備えることが好ましい。
【００６３】
この構成によれば、ＦＰＣは上流側ＦＰＣと下流側ＦＰＣとに分割されており、コネクタを介して接続されるため、レンズ鏡筒の組立性を向上させることができる。また、コネクタは、補強領域に取り付けられているため、コネクタの荷重によるＦＰＣの破損を防止することができる。
【００６４】
（７）前記ＦＰＣ固定部材は、前記可動部材よりも外径側に配置され、前記固定筒に結合された外装部材であることが好ましい。
【００６５】
この構成によれば、ＦＰＣは外装部材と可動部材との間の空間に収納され、その分、可動部材の内側のスペースが空き、可動部材の内側のスペースに大径のレンズ群を設けることができると共に、可動部材を固定筒の後端近傍に配置することができる。そのため、一眼レフ用交換レンズに好適なレンズ鏡筒を提供することができる。
【００６６】
（８）前記ＦＰＣは、前記貼付部よりも前記上流端側、かつ、前記電気部品の近傍において、曲げられた第４湾曲部を備えることが好ましい。
【００６７】
この構成によれば、ＦＰＣは、電気部品の近傍で曲げられた第４湾曲部を備えているため、可動部材の作動を妨げることなく、ＦＰＣを固定筒に取付けることができる。また、ＦＰＣの長さを確保することができ、レンズ鏡筒の組立の容易化を図ることができる。
【００６８】
（９）前記ＦＰＣは、展開形状が、底部と、前記底部の一端から延び、かつ、長手方向が前記底部の長手方向に直交する第１分岐部と、前記底部の他端から延び、かつ、長手方向が前記底部の長手方向と直交する第２分岐部とを備える形状を有し、前記底部の外周が、前記ＦＰＣ固定部材の前記カメラ本体側の端部に位置決めされることが好ましい。
【００６９】
この構成によれば、底部の外周がＦＰＣ固定筒のカメラ本体の端部に位置するようにＦＰＣをＦＰＣ固定筒に貼り付けることができるため、ＦＰＣにおいて第１湾曲部が形成される位置の位置ずれを防止することができる。
【００７０】
（１０）前記レンズ鏡筒は、交換レンズ用のレンズ鏡筒であって、前記カメラ本体部に取り付けるためのマウントと、前記マウントに固定され、前記カメラ本体部と電気的な接続を行うための第２のコネクタとを備え、前記ＦＰＣは前記第２のコネクタに接続されていることが好ましい。
【００７１】
この構成によれば、組み立てが容易であり、一眼レフ用交換レンズに好適なレンズ鏡筒を提供することができる。
【図１】
0005494793.tif 000002
【図２】
0005494793.tif 000003
【図３】
0005494793.tif 000004
【図４】
0005494793.tif 000005
【図５】
0005494793.tif 000006
【図６】
0005494793.tif 000007
【図７】
0005494793.tif 000008